(57)【要約】  本体と；入力部と、入力部から伝送される信号によって判断及び制御を行うメーン制御部と、メーン制御部から伝送される信号によって制御状態をディスプレイするディスプレイ部とを含んで構成されるコントローラと；を含む洗濯または洗濯物乾燥のための機械装置であって、本体には、入力部が選択的に着脱可能に設置されるように、本体の上部に形成される入力部上部取り付け構造と、本体の下部に形成される入力部下部取り付け構造とが設けられることを特徴とする洗濯または洗濯物乾燥のための機械装置を構成し、比較的低い平地に設置される場合のみならず、高い場所、特に、洗濯または洗濯物乾燥のための他の機械装置の上部に設置される場合も、コントローラの操作に不便さのない洗濯または洗濯物乾燥のための機械装置を提供する。【選択図】図３
2008541791.tif 000002
【特許請求の範囲】
【請求項１】
本体と；
入力部と、前記入力部から伝送される信号によって判断及び制御を行うメーン制御部と、前記メーン制御部から伝送される信号によって制御状態をディスプレイするディスプレイ部とを含んで構成されるコントローラと；を含む洗濯または洗濯物乾燥のための機械装置であって、
前記本体には、前記入力部が選択的に着脱可能に設置されるように、前記本体の上部に形成される入力部上部取り付け構造と、前記本体の下部に形成される入力部下部取り付け構造とが設けられることを特徴とする、
洗濯または洗濯物乾燥のための機械装置。
【請求項２】
前記本体には、前記ディスプレイ部が選択的に着脱可能に設置されるように、前記本体の上部に形成されるディスプレイ部上部取り付け構造と、前記本体の下部に形成されるディスプレイ部下部取り付け構造とが設けられることを特徴とする、請求項１に記載の洗濯または洗濯物乾燥のための機械装置。
【請求項３】
前記入力部と前記ディスプレイ部が一体となって操作部を形成し、前記入力部上部取り付け構造と前記ディスプレイ部上部取り付け構造とが統合されて操作部上部取り付け構造を形成し、前記入力部下部取り付け構造と前記ディスプレイ部下部取り付け構造とが統合されて操作部下部取り付け構造を形成することを特徴とする、請求項２に記載の洗濯または洗濯物乾燥のための機械装置。
【請求項４】
前記本体には、前記メーン制御部が選択的に着脱可能に設置されるように、前記本体の上部に形成されるメーン制御部上部取り付け構造と、前記本体の下部に形成されるメーン制御部下部取り付け構造とが設けられることを特徴とする、請求項１または２に記載の洗濯または洗濯物乾燥のための機械装置。
【請求項５】
本体と；
入力部と、前記入力部から伝送される信号によって判断及び制御を行うメーン制御部と、前記メーン制御部から伝送される信号によって制御状態をディスプレイするディスプレイ部とを含んで構成されるコントローラと；を含む洗濯または洗濯物乾燥のための機械装置であって、
前記本体には、前記ディスプレイ部が選択的に着脱可能に設置されるように、前記本体の上部に形成されるディスプレイ部上部取り付け構造と、前記本体の下部に形成されるディスプレイ部下部取り付け構造とが設けられることを特徴とする、
洗濯または洗濯物乾燥のための機械装置。
【請求項６】
本体と；
入力部と、前記入力部から伝送される信号によって判断及び制御を行うメーン制御部と、前記メーン制御部から伝送される信号によって制御状態をディスプレイするディスプレイ部とを含んで構成されるコントローラと；を含む洗濯または洗濯物乾燥のための機械装置であって、
前記本体には、前記メーン制御部が選択的に着脱可能に設置されるように、前記本体の上部に形成されるメーン制御部上部取り付け構造と、前記本体の下部に形成されるメーン制御部下部取り付け構造とが設けられることを特徴とする、
洗濯または洗濯物乾燥のための機械装置。
【請求項７】
前記操作部が前記本体の上部または下部のうち何れか一側に設置されるとき、他の一側に設置されるカバーパネルを含んで構成されることを特徴とする、請求項３に記載の洗濯または洗濯物乾燥のための機械装置。
【請求項８】
本体と；
入力部と、前記入力部から伝送される信号によって判断及び制御を行うメーン制御部と、前記メーン制御部から伝送される信号によって制御状態をディスプレイするディスプレイ部とを含んで構成されるコントローラと；を含む洗濯または洗濯物乾燥のための機械装置であって、
前記本体または前記入力部には、前記入力部が前記本体の上部または下部に着脱可能に設置されるように取り付け構造が設けられることを特徴とする、
洗濯または洗濯物乾燥のための機械装置。
【請求項９】
前面に洗濯対象物を出し入れするための入口が形成された洗濯機と、前記洗濯機の上部または側部に設置される乾燥機とを含んで構成される複合洗濯装置であって、
前記乾燥機は、
乾燥機本体と；
入力部と、前記入力部から伝送される信号によって判断及び制御を行うメーン制御部と、前記メーン制御部から伝送される信号によって制御状態をディスプレイするディスプレイ部とを含んで構成されるコントローラと；を含んで構成されており、
前記本体には、前記入力部が選択的に着脱可能に設置されるように、前記本体の上部に形成される入力部上部取り付け構造と、前記本体の下部に形成される入力部下部取り付け構造とが設けられることを特徴とする、
複合洗濯装置。
【請求項１０】
外観をなすキャビネットと；
前記キャビネットの上部または下部に選択的に着脱可能に設置されるコントロールパネルと；
前記コントロールパネルと反対に、前記キャビネットの上部または下部に選択的に着脱可能に設置されるカバーパネルと；を含んで構成されることを特徴とする、
洗濯または洗濯物乾燥のための機械装置。
【請求項１１】
前記コントロールパネルは、前記キャビネットにねじによって結合されることを特徴とする、請求項１０に記載の洗濯または洗濯物乾燥のための機械装置。
【請求項１２】
前記コントロールパネルにフックが形成され、前記キャビネットの前方面上部及び下部に前記フックが挿入されるフック締結溝が形成され、前記コントロールパネルがキャビネットの上部及び下部にフックによって結合されることを特徴とする、請求項１０に記載の洗濯または洗濯物乾燥のための機械装置。
【請求項１３】
外観をなすキャビネットと；
前記キャビネットの前方上端部に固定される上部フレームと；
前記キャビネットの前方下端部に固定される下部フレームと；
前記上部フレームの上端部に水平に固定されるデコプレートと；
前記キャビネットの前方上端部で前記デコプレートに結合されるか、前記キャビネットの前方下端部で前記下部フレームに選択的に着脱可能に結合されるコントロールパネルと；
前記コントロールパネルと反対に、キャビネットの前方下端部で前記下部フレームに結合されるか、前記キャビネットの前方上端部で前記デコプレートに選択的に着脱可能に結合されるカバーパネルと；を含んで構成されることを特徴とする、
洗濯または洗濯物乾燥のための機械装置。
【請求項１４】
前記上部フレームは、上端部が水平に折り曲げられた形態で形成され、前記デコプレートは、前記上部フレームの水平部分の上面に重なるように結合されることを特徴とする、請求項１３に記載の洗濯または洗濯物乾燥のための機械装置。
【請求項１５】
前記上部フレームの水平部分に複数個の固定ホールが貫通形成され、垂直部分に複数個のねじ締結孔が形成され、前記デコプレートの下部面に前記固定ホールに挿入されるガイドリブが形成され、前記デコプレートの後端部には、前記上部フレームのねじ締結孔に対応する複数個のねじ締結孔が形成された結合部が垂直に形成されることを特徴とする、請求項１３に記載の洗濯または洗濯物乾燥のための機械装置。
【請求項１６】
前記デコプレートの前端部と前記下部フレームの上部前端部には、‘Ｌ'字状の第１及び第２前方側ガイドリブがそれぞれ形成され、前記コントロールパネル及びカバーパネルの上部面後端部には、前記第１前方側ガイドリブまたは第２前方側ガイドリブが挿入されて支持される固定ホールが形成されることを特徴とする、請求項１３に記載の洗濯または洗濯物乾燥のための機械装置。
【請求項１７】
前記キャビネットの前方上端部には挿入ホールが形成され、前記コントロールパネル及びカバーパネルの下部には、前記挿入ホールに挿入される下側ガイドリブが形成されることを特徴とする、請求項１３に記載の洗濯または洗濯物乾燥のための機械装置。
【請求項１８】
前記下部フレームの下端部にはフック締結ホールが形成され、前記コントロールパネル及びカバーパネルの下部後端部には、前記挿入ホールに挿入されるフックが形成されることを特徴とする、請求項１３に記載の洗濯または洗濯物乾燥のための機械装置。
【請求項１９】
前記コントロールパネルの両側面部及びカバーパネルの両側面部には、ねじ締結のための複数個の締結孔が形成され、前記下部フレームの両側面部には、前記コントロールパネル及びカバーパネルのねじ締結孔と対応する位置に複数個の締結孔が形成され、前記コントロールパネルまたはカバーパネルの両側面部が下部フレームの両側面部にねじ締結によって固定されることを特徴とする、請求項１３に記載の洗濯または洗濯物乾燥のための機械装置。
【請求項２０】
前記コントロールパネルの両側面部及び前記カバーパネルの両側面部には、ねじ締結のための複数個の締結孔が形成され、前記デコプレートの両側面部にも、前記コントロールパネル及びカバーパネルのねじ締結孔と対応する位置に複数個の締結孔が形成され、前記コントロールパネルまたはカバーパネルの両側面部が前記デコプレートの両側面部にねじ締結によって固定されることを特徴とする、請求項１３に記載の洗濯または洗濯物乾燥のための機械装置。
【発明の詳細な説明】
【技術分野】
【０００１】
本発明は、乾燥機または洗濯機などの洗濯または洗濯物乾燥のための機械装置に関し、特に、上記のような機械装置を制御するコントローラのうち少なくとも入力部が機械装置本体の上部または下部に選択的に設置されることを特徴とする洗濯または洗濯物乾燥のための機械装置に関する。
【０００２】
本出願は、大韓民国特許出願第１０―２００５―４３１８１号明細書、第１０―２００５―５７７３７号明細書、第１０―２００５―５７８４９号明細書及び第１０―２００５―５７８５０号明細書に基づいて優先権を主張した。なお、優先権主張の基礎となる出願の明細書及び添付図面の内容は、本出願の明細書及び添付図面にそのまま含まれる。
【背景技術】
【０００３】
一般的に、洗濯機は、モータの駆動力を通して回転槽及びパルセータを回転させて洗濯行程、濯ぎ行程、及び脱水行程などを行うもので、回転槽の内部に洗濯水と洗濯物を一緒に投入した後、これらを攪拌させることで、洗濯物、洗濯水及び回転槽の摩擦を用いて洗濯する装置である。
【０００４】
上記のような洗濯機は、洗濯方式によってパルセータ式、攪拌式、ドラム式などに区分される。
【０００５】
一般的に、ドラム洗濯機は、洗剤、洗濯水及び洗濯物が洗濯ドラム内に投入された状態で駆動部の駆動力を受けて回転する洗濯ドラムと洗濯物の摩擦力を用いて洗濯を行う装置で、洗濯物の損傷が少なく、洗濯物の絡み合いがあまり発生せず、叩いて揉み洗う洗濯効果を呈示するものである。
【０００６】
図１は、従来のドラム洗濯機を示した図で、本体の前面上部側には、使用者が洗濯を制御するための機能入力キー及び残留時間などをディスプレイする表示部を備えたコントローラ３が備わる。
【０００７】
コントローラ３には、多数のボタン３１、表示窓３２、ＬＥＤ窓３３及びロータリーノブ５０が設置される。各ボタン３１とロータリーノブ５０は、洗濯機を作動させるための入力装置で、これを操作することで、使用者が洗濯時間、洗濯方法、脱水及び乾燥方式を選択するとき、使用者の望む洗濯コース及び時間などを入力させるようになる。
【０００８】
ＬＥＤ窓３３は、点滅を通して、そして、表示窓３２は、文字や記号を通して洗濯進行状態及び残留時間などの各種の洗濯情報を使用者に知らせる。
【０００９】
一方、一般的に、衣類乾燥機は、洗濯が完了した濡れた状態の乾燥対象物（例えば、衣類）を自動的に乾燥させる機械装置で、従来の衣類乾燥機においては、図１のドラム洗濯機と同様に、コントローラが本体上部に設置される。
【００１０】
上記のように、従来の洗濯機または衣類乾燥機は、コントローラが本体の上部に設置されるので、使用者が立った場所よりも高い場所に設置される場合、コントローラに接近することが容易でなく、使用上多くの不便さがある。さらに、高い場所に位置したコントローラの入力部操作によって発生する不便さの他にも、入力によってまたはコントローラの本体制御によってその状態をディスプレイするディスプレイ部を容易に見れないという不便さもあった。
【００１１】
洗濯機と衣類乾燥機が横に並んで配置される場合、コントローラが本体の上部に設置されることが使用上便利であるが、二つのうち何れか一つが他の一つの上部に設置される場合、上部に配置された洗濯機または衣類乾燥機のコントローラを操作するのに多くの不便さがある。
【発明の開示】
【発明が解決しようとする課題】
【００１２】
本発明は、上記のような従来の問題点を解決するためのもので、その目的は、比較的低い平地に設置される場合のみならず、高い場所、特に、洗濯または洗濯物乾燥のための他の機械装置の上部に設置される場合も、コントローラの操作に不便さのない洗濯または洗濯物乾燥のための機械装置を提供することにある。
【００１３】
本発明の他の目的は、コントローラのうち少なくとも入力部が本体の上部または下部のうち何れか一側に選択的に着脱可能に設置されることで、一つの入力部によって上記のような目的を容易に達成することにある。
【課題を解決するための手段】
【００１４】
本発明は、本体と；入力部と、入力部から伝送される信号によって判断及び制御を行うメーン制御部と、メーン制御部から伝送される信号によって制御状態をディスプレイするディスプレイ部とを含んで構成されるコントローラと；を含む洗濯または洗濯物乾燥のための機械装置であって、本体または入力部には、入力部が本体の上部または下部に着脱可能に設置されるように取り付け構造が設けられることを特徴とする洗濯または洗濯物乾燥のための機械装置である。
【００１５】
本体には、入力部が選択的に着脱可能に設置されるように、本体の上部に形成される入力部上部取り付け構造と、本体の下部に形成される入力部下部取り付け構造とが設けられ、入力部の選択的な位置変動がより容易かつ簡単に達成されることが好ましい。
【００１６】
ここで、入力部には、入力部上部取り付け構造および入力部下部取り付け構造に対応する取り付け構造が設けられ、その設置をより堅固にすることもできる。
【００１７】
また、本体には、ディスプレイ部が選択的に着脱可能に設置されるように、本体の上部に形成されるディスプレイ部上部取り付け構造と、本体の下部に形成されるディスプレイ部下部取り付け構造とが設けられる。
【００１８】
上記のようなディスプレイ部上部取り付け構造及びディスプレイ部下部取り付け構造は、入力部上部取り付け構造及び入力部下部取り付け構造と一緒に下部に設けられるか、場合によっては、ディスプレイ部上部取り付け構造及びディスプレイ部下部取り付け構造のみが設けられることもある。
【００１９】
コントローラを操作するにおいて、上記のように本体に設置された入力部を使用せずに、外部に備わる外部入力部を使用する場合は、ディスプレイ部上部取り付け構造及びディスプレイ部下部取り付け構造のみが設けられる場合にもコントローラの操作使用に不便さがない。
【００２０】
本体に入力部上部取り付け構造及び入力部下部取り付け構造と、ディスプレイ部上部取り付け構造及びディスプレイ部下部取り付け構造とが一緒に設けられる場合には、入力部とディスプレイ部とが一体に形成されることが好ましい。
【００２１】
そして、この場合は、入力部上部取り付け構造とディスプレイ部上部取り付け構造とが統合されて操作部上部取り付け構造を形成し、入力部下部取り付け構造とディスプレイ部下部取り付け構造とが統合されて操作部下部取り付け構造を形成することで、構成を単純化することが好ましい。
【００２２】
操作部が本体上部または下部のうち何れか一側に設置されるとき、他の一側にはカバーパネルを設置することがより好ましい。カバーパネルは、操作部の設置のための操作部上部取り付け構造または操作部下部取り付け構造をそのまま用いて設置することもでき、場合によっては、別途のねじ締結溝などの他の取り付け構造を用いて設置することもできる。重要な点は、カバーパネルが操作部の設置されない他側に設置される点にあり、その取り付けのために操作部上部取り付け構造または操作部下部取り付け構造をそのまま使用すべき点にあるわけではない。
【００２３】
ここで、入力部とディスプレイ部とが一体に形成されることは、それらが一体に移動するように形成されることを意味し、ＰＣＢ基板などの具体的な細部構成においても、一体に統合されて形成されることが要求されるわけではない。
【００２４】
例えば、入力部とディスプレイ部は、それぞれの細部構成品を収容する役割をするハウジングなどのパネルが一体に形成されて一体に移動することもできる。
【００２５】
しかし、入力部とディスプレイ部は、その細部構成品においても一体に形成されることが好ましい。例えば、それぞれのＰＣＢ基板は、統合されて一体に形成されることができる。
【００２６】
また、入力部がＬＣＤ窓を通したタッチスクリーン方式である場合、ＬＣＤ窓は、ディスプレイのためにも使用されるので、この場合、入力部とディスプレイ部は一つに統合された形態となる。
【００２７】
コントローラのうち本体の各構成品を電子的に制御するメーン制御部も、本体の上部または下部に選択的に着脱可能に設置される。これは、本体の上部に形成されるメーン制御部上部取り付け構造と、本体の下部に形成されるメーン制御部下部取り付け構造によって一層容易かつ簡単に達成される。
【００２８】
本発明における取り付け構造とは、その取り付け対象（例えば、入力部）を本体に取り付け可能なものであれば、如何なる形態であっても構わなく、一つの特定形態の取り付け構造に限定される必要なしに、従来の取り付け構造がそのまま使用されることもある。すなわち、本発明の目的に反しない限り、如何なる形態の取り付け構造であっても構わない。ただし、容易に着脱可能な構造を選択することで、本発明の目的を一層容易に達成することが好ましい。
【００２９】
入力部または本体に取り付け構造を設けて、入力部を本体の上部または下部に選択的に取り付けるとき、場合によっては、本体に別途の取り付け構造を設けずに、入力部に取り付け構造に対応する磁石を備えて、入力部に備わった磁石によって本体に入力部を取り付けることもできる。しかし、この場合も、本体に入力部が取り付けられる取り付け構造を設けて、このような入力部及び本体の取り付け構造を通して入力部を本体に取り付けることが好ましい。
【００３０】
本発明における本体とは、コントローラに対する相対的な概念として、コントローラによってコントロールされ、その装置の本来の機能を行う部分をいう。例えば、コントローラに対する洗濯機本体は、洗濯対象物を収容する洗濯槽と、コントローラの指示によって洗濯槽内の洗濯対象物が洗濯されるように洗濯槽を駆動させる駆動部（例えば、モータなど）とを含むもので充分である。また、他の例として、コントローラに対する乾燥機本体とは、乾燥される洗濯物を収容するドラムと、ドラム内の洗濯物が乾燥されるようにドラムを駆動させる駆動部とを含むもので充分である。
【００３１】
一方、本発明に係る複合洗濯装置は、前面に洗濯対象物を出し入れするための入口が形成された洗濯機と、洗濯機の上部または側部に設置される乾燥機とを含んで構成される複合洗濯装置であって、乾燥機は、乾燥機本体と；入力部と、入力部から伝送される信号によって判断及び制御を行うメーン制御部と、メーン制御部から伝送される信号によって制御状態をディスプレイするディスプレイ部とを含んで構成されるコントローラと；を含んで構成されており、本体には、入力部が選択的に着脱可能に設置されるように、本体の上部に形成される入力部上部取り付け構造と、本体の下部に形成される入力部下部取り付け構造とが設けられることを特徴とする。
【００３２】
通常、洗濯機は、稼動時に洗濯対象物と洗濯水を収容しているので、乾燥機に比べて重さが大きくなり、振動程度も乾燥機に比べて大きい。したがって、乾燥機と洗濯機からなる複合洗濯装置、特に、何れか一つが他の一つの上部に設置されるスタック型複合洗濯装置においては、乾燥機が洗濯機の上部に設置されることが好ましい。
【００３３】
本発明によると、洗濯または洗濯物乾燥のための機械装置は、低い場所に設置される場合のみならず、高い場所に設置される場合にも使用上の不便さがなく、従来と異なって設置場所に対する制約を受けない。
【００３４】
特に、乾燥機と洗濯機からなる複合洗濯装置において、使用者は、便宜上、乾燥機と洗濯機を横に並べて配置することもでき、何れか一つの上部に他の一つを設置して使用することもできる。このような配置の多様性は、多くの良い効果をもたらし、特に、使用者が設置場所及び空間に対する制約を受けるのを少なくする。
【００３５】
一方、乾燥機または洗濯機を多数保有して商業用に使用するセルフサービス式クリーニング屋では、本発明に係る機械装置が一層有効に使用される。例えば、多数の乾燥機のうち一つの乾燥機のコントローラが故障した場合、他の乾燥機のコントローラを分離し、その故障した乾燥機に設置することで、臨時的に問題を解決することもできる。また、一つの乾燥機は本体が故障し、他の乾燥機はコントローラが故障した場合、事業所の使用者は、本体が故障した乾燥機のコントローラを、コントローラが故障した乾燥機に設置して使用することもできる。
【発明を実施するための最良の形態】
【００３６】
まず、図２は、洗濯物乾燥のための機械装置として、本発明に係る乾燥機を示す図である。図２に示すように、乾燥機本体１００の上部にコントローラの操作部１１０が設置され、 乾燥機本体１００の下部にカバーパネル１２０が設置される。
【００３７】
操作部１１０及びカバーパネル１２０は、本体１００に着脱可能に設置されることで、本体１００から容易に分離されるとともに、互いの位置を取り替えられる構造となっている。すなわち、操作部１１０は、本体１００から分離されて、カバーパネル１２０が設置された本体１００の下部に設置されることもでき、カバーパネル１２０は、操作部１１０が設置された本体１００の上部に設置されることもできる。
【００３８】
図３は、図２の操作部１１０が本体１００の上部に組み立てられる状態を示す図である。まず、本実施例では、コントローラのメーン制御部１３０が本体１００内に設置され、入力部とディスプレイ部が一体となって操作部１１０を形成している。
【００３９】
本実施例では、メーン制御部１３０が操作部１１０と分離されて本体１００に設置されるが、他の実施形態では、メーン制御部１３０が操作部１１０と一緒に移動するように構成され、このような実施形態は、本実施形態から容易に把握される。
【００４０】
図３に示すように、操作部１１０には、洗濯物乾燥のための乾燥条件などを入力する入力部として各種のボタンとノブなどが設置され、メーン制御部１３０から伝送された信号によってディスプレイするディスプレイ部としてＬＣＤ窓またはＬＥＤなどが設置される。
【００４１】
上記のような各種のボタン、ノブ、ＬＣＤ窓及びＬＥＤなどは、操作部ＰＣＢ（図示せず）に設置され、操作部ＰＣＢは、操作部パネル１１３に設置される。ここで、操作部ＰＣＢは、入力部のための入力部ＰＣＢと、ディスプレイ部のためのディスプレイ部ＰＣＢとに分離されて構成されるが、このような入力部ＰＣＢ及びディスプレイ部ＰＣＢは、一つのＰＣＢに統合されて一体に形成されることが好ましい。
【００４２】
操作部パネル１１３には、本体１００に設けられた操作部上部取り付け構造１０３，１０４及び操作部下部取り付け構造１４３，１４４に取り付けられるように、一側にはねじ締結溝１１５が形成され、他側には結合のための突起１１７が形成される。
【００４３】
本体１００に設けられた操作部上部取り付け構造１０３，１０４は、本体１００の上部フレーム１０２のうち一側に形成されたねじ締結溝１０３と、本体１００の上部フレーム１０２の他側に形成され、操作部パネル１１３に形成された突起１１７と結合されるスロット１０４とを含む。
【００４４】
図４は、操作部１１０が本体１００の上部に設置された状態、及び操作部１１０と本体１００との結合状態を示す図である。
【００４５】
図３及び図４を参照して、操作部１１０が本体１００に取り付けられる状態を説明する。
【００４６】
まず、上部フレーム１０２が本体１００の前面キャビネット１０１に結合される。このような本体１００の状態で、操作部１１０が上部フレーム１０２に対してやや左側にずれて配置された後、右側にスライディング移動されると、操作部パネル１１３に形成された突起１１７は、上部フレーム１０２に形成されたスロット１０４に挿入されて結合される。このとき、突起１１７は、図４に示すように、一側が折り曲げられた形態で、スロット１０４もそれに合わせて折り曲げられた状態である。そのため、突起１１７とスロット１０４が結合された後、操作部１１０は本体１００から前方に離脱されない。
【００４７】
そして、上記のように組み立てられた状態で、上部フレーム１０２に形成されたねじ締結溝１０３と操作部パネル１１３に形成されたねじ締結溝１１５にねじを締結することで、操作部１１０の取り付け状態が堅固になる。
【００４８】
上記のように操作部１１０が本体１００の上部に取り付けられた状態で、外観のためにデコプレート１０５が設置される。
【００４９】
図５は、本体１００の下部にカバーパネル１２０が組み立てられる状態を示す図である。このカバーパネル１２０には、操作部パネル１１３と同様にねじ締結溝１２１及び突起（図示せず）が形成されることが好ましい。もちろん、上記のようなカバーパネル１２０の取り付け構造は、操作部パネル１１３の取り付け構造と異なるように構成されることもできる。
【００５０】
図５に示すように、本体１００の下部には、上部フレーム１０２に対応して下部フレームが設置され、この下部フレームには、上部フレーム１０２と同様にスロット１４４とねじ締結溝１４３が形成される。
【００５１】
カバーパネル１２０が下部フレームに設置される方法は、上記のような操作部１１０、特に、操作部パネル１１３が上部フレーム１０２に設置される方法と同一であるので、それに対する説明を省略する。そして、操作部１１０が下部フレームに設置される方法も、操作部１１０が上部フレーム１０２に設置される方法と同一であるので、それに対する説明を省略する。
【００５２】
一方、本体１００に対して選択的に着脱可能に設置される操作部１１０と本体１００内に設置されるメーン制御部１３０との間の電気的連結に対し、図３及び図５を参照して説明する。
【００５３】
メーン制御部１３０には、操作部１１０との電気的連結のための信号線及び電源線などが延長され、この信号線及び電源線は、上部フレーム１０２と下部フレームに設置されたメーン制御部コネクタ１３１，１４１に連結される。
【００５４】
そして、図３に示すように、操作部１１０にも電源線及び信号線が延長され、この電源線及び信号線が操作部コネクタ１１４に連結される。
【００５５】
メーン制御部１３０と操作部１１０は、メーン制御部コネクタ１３１，１４１と操作部コネクタ１１４との連結によって電気的に連結される。
【００５６】
上記のように電気的に連結された状態で、使用者が操作部１１０のボタンなどの入力部を通して乾燥条件を入力すると、メーン制御部１３０は、その入力された乾燥条件に対するデータをＬＣＤ窓またはＬＥＤなどのディスプレイ部に伝送し、その乾燥条件をディスプレイし、乾燥機内の各種の装置を制御する。
【００５７】
メーン制御部１３０には、一般的にマイコンとメモリが備わり、使用者の入力条件によって、ドラムを駆動させるためのモータ、ドラム内に供給される空気を温めるヒータ、及びヒータによって温められた空気をドラム内に送風するためのブロワなどを制御し、乾燥機によって乾燥を行う。
【００５８】
一方、上記のように添付図面に示した実施例は、本発明に係る一つの実施例に過ぎなく、本実施例の他にも多様な形態の実施が可能であり、このような他の多様な実施形態は、上記の実施例を参照すると当業者によって容易に具現される。
【００５９】
例えば、上記の実施例では、操作部１１０が本体１００に選択的に着脱可能に設置されるが、ディスプレイ部がそのまま本体１００の上部に設置された状態で、入力部のみが本体１００に対して選択的に着脱可能に設置されることもできる。そして、入力部がそのまま本体１００の上部に設置された状態で、ディスプレイ部のみが本体１００に対して選択的に着脱可能に設置されることもできる。
【００６０】
場合によっては、入力部とディスプレイ部は、それぞれ分離して形成され、別途に本体１００に対して着脱可能に設置されることもできる。
【００６１】
一方、図６及び図７は、本発明に係る複合洗濯装置を示す図である。
【００６２】
図６は、乾燥機１５０と洗濯機１６０が横に並んで設置された状態を示し、図７は、図２のような乾燥機１５０が洗濯機１６０の上部に設置された状態を示す。
【００６３】
図６及び図７に示した乾燥機１５０は、図２に示した乾燥機と同一で、洗濯機は、従来の洗濯機と同一であるので、それに対する具体的な説明は省略する。
【００６４】
図示したように、乾燥機１５０と洗濯機１６０が横に並んで配置される場合、乾燥機１５０の操作部１１０は本体１００の上部に設置され、図７に示すように、乾燥機１５０が洗濯機１６０の上部に設置される場合、操作部１１０は本体１００の下部に設置される。
【００６５】
したがって、使用者は、乾燥機１５０が洗濯機１６０の横に並んで設置された場合のみならず、乾燥機１５０が洗濯機１６０の上部に設置された場合にも操作部１１０の操作を便利に行うことができる。
【００６６】
一方、図８〜図１３は、本発明の更に他の実施例を示す図である。
【００６７】
本実施例の乾燥機２２０は、前方面にドア２２２が形成され、外観をなすキャビネット２２１の前方面下端部には、乾燥機の作動を制御するコントロールパネル２２３が着脱可能に結合される。コントロールパネル２２３の背面部には、乾燥機２２０の作動を制御するためのコントローラ２２７が装着される。
【００６８】
また、コントロールパネル２２３の前方部には、使用者がコントローラを作動させるための各種の操作ボタン及び／またはノブを始めとして、乾燥機の作動状態などを表示するディスプレイ窓などが装着される。
【００６９】
そして、乾燥機２２０のキャビネット２２１の前方面上端部には、コントロールパネル２２３が位置していた部分を遮蔽するカバーパネル２２４が着脱可能に結合される。
【００７０】
以下、図９及び図１０を参照して、コントロールパネル２２３とカバーパネル２２４がキャビネット２２１に結合された構造を一層詳細に説明する。
【００７１】
乾燥機２２０のキャビネット２２１の前方面上部と下部には、コントロールパネル２２３とカバーパネル２２４に結合される上部フレーム２２５と下部フレーム２２６がそれぞれ固定される。
【００７２】
上部フレーム２２５の上端部及び側面部には、ねじ締結のための複数個の締結孔２２５ａが形成され、コントロールパネル２２３とカバーパネル２２４の上端部及び側面部には、締結孔２２５ａと対応する位置に締結孔２２３ａ，２２４ａが形成される。したがって、コントロールパネル２２３またはカバーパネル２２４の締結孔２２３ａ，２２４ａと上部フレーム２２５の締結孔２２５ａを通してねじ２２８を締結することで、コントロールパネル２２３またはカバーパネル２２４が上部フレーム２２５に固定される。
【００７３】
また、下部フレーム２２６の下端部及び側面部にも、ねじ締結のための複数個の締結孔２２６ａが形成され、コントロールパネル２２３とカバーパネル２２４の下端部及び側面部にも、締結孔２２６ａと対応する位置に締結孔２２３ａ，２２４ａが形成される。ここで、コントロールパネル２２３とカバーパネル２２４の側面部の締結孔２２３ａ，２２４ａは、上部フレーム２２５の側面部の締結孔と対応することが好ましい。
【００７４】
上述した実施例の説明において、コントロールパネル２２３とカバーパネル２２４は、上部フレーム２２５と下部フレーム２２６にねじ２２８によって着脱可能に結合されるが、これと異なって、図１１〜図１３に示すように、コントロールパネル２２３とカバーパネル２２４を上・下部フレーム２２５，２２６に互いに同一の方式でフック結合させることもできる。
【００７５】
すなわち、コントロールパネル２２３の下部及び上部面の縁部に下部フック２２３ｂ及び上部フック２２３ｃを形成し、上部面端部に締結ホール２２３ｄを形成する。そして、下部フレーム２２６の下部にコントロールパネル２２３の下部フック２２３ｂが挿入されて締結されるフック締結溝２２６ｂを形成し、下部フレーム２２６の上部にコントロールパネル２２３の締結ホール２２３ｄに挿入されて締結されるフック２２６ｄを形成することでフック結合がなされる。
【００７６】
また、カバーパネル２２４の下部及び上部面の縁部に下部フック２２４ｂ及び上部フック２２４ｃを形成し、上部面の縁部に締結ホール２２４ｄを形成する。そして、上部フレーム２２５の上部に上部フック２２４ｃが挿入されるフック締結ホール２２５ｃを形成してフック結合がなされる。
【００７７】
もちろん、この場合、コントロールパネル２２３とカバーパネル２２４の両側面部は、上・下部フレーム２２５，２２６の両側面部にねじ２２９で結合させることで堅固に固定させることが好ましい。
【００７８】
図１４〜図１７は、本発明の更に他の実施例を示す図である。
【００７９】
図示したように、乾燥機３２０の前方面にドア３２２が形成され、外観をなすキャビネット３２１の前方面下端部には、乾燥機の作動を制御するコントロールパネル３２３が着脱可能に結合される。コントロールパネル３２３の背面部には、乾燥機３２０の作動を制御するためのコントローラ５３５が装着される。また、コントロールパネル３２３の前方部には、使用者がコントローラを作動させるための各種の操作ボタン及び／またはノブを始めとして、乾燥機の作動状態などを表示するディスプレイ窓などが装着される。
【００８０】
そして、乾燥機３２０のキャビネット３２１の前方面上端部には、コントロールパネル３２３が位置していた部分を遮蔽するカバーパネル３２４が着脱可能に結合される。
【００８１】
コントロールパネル３２３とカバーパネル３２４は、乾燥機３２０の前方面上部と下部面に選択的に着脱容易に結合される。
【００８２】
以下、図１５〜図１７を参照して、コントロールパネル３２３とカバーパネル３２４がキャビネット３２１に結合された構造をより詳細に説明する。
【００８３】
まず、図１５に示すように、乾燥機３２０のキャビネット３２１の前方面下部には、コントロールパネル３２３またはカバーパネル３２４が結合される下部フレーム３２６が固定される。
【００８４】
コントロールパネル３２３の下部面内側端にフック５３１が形成され、このフック５３１と一定距離だけ離れた位置に下側ガイドリブ５３２が形成される。そして、コントロールパネル３２３の上部面後端部に固定ホール５３３が貫通形成される。
【００８５】
そして、下部フレーム３２６の下部面前端部には、コントロールパネル３２３のフック５３１が挿入されるフック締結ホール５６１が形成される。また、下部フレーム３２６の上部面前端部には、コントロールパネル３２３の固定ホール５３３に挿入される‘Ｌ'字状のガイドリブ５６２が形成される。
【００８６】
コントロールパネル３２３の両側面部には、ねじ３２９締結のための複数個の締結孔が形成され、下部フレーム３２６の両側面部にも、締結孔と対応する位置に複数個の締結孔が形成される。
【００８７】
コントロールパネル３２３は、上部の固定ホール５３３に下部フレーム３２６のガイドリブ５６２を挿入し、下部のフック５３１を下部フレーム３２６のフック締結ホール５６１に挿入することで、下部フレーム３２６に仮組み立てされる。仮組み立て後、作業者は、コントロールパネル３２３と下部フレーム３２６の両側面部の締結孔（図示せず）を通してねじ３２９を締結することで、コントロールパネル３２３を下部フレーム３２６に安定的に固定させることができる。
【００８８】
そして、図１６及び図１７に示すように、乾燥機３２０のキャビネット３２１の前方面上部には上部フレーム３２５が固定結合され、この上部フレーム３２５の上端部には、プラスチックなどの合成樹脂材質のデコプレート３２７が固定結合される。デコプレート３２７は、コントロールパネル３２３及びカバーパネル３２４の上端縁部とキャビネット３２１の上部面前端部との間を遮蔽しながら内部構造物が外部に露呈されることを防止し、コントロールパネル３２３及びカバーパネル３２４の上端部が固定される支持体の役割をする。
【００８９】
上部フレーム３２５は、上端部が水平に折り曲げられて全体的に‘Ｌ'字状をなしており、水平な上端部に複数個の固定ホール５５１が貫通形成され、垂直部分の上端部に複数個のねじ締結孔５５２が形成される。
【００９０】
デコプレート３２７は、上部フレーム３２５の水平な上端部に重なるように形成され、上部フレーム３２５の固定ホール５５１と対応する位置に‘Ｌ'字状のガイドリブ５７１が形成される。デコプレート３２７の前端部にも、ガイドリブ５７１と同一形態の前方側ガイドリブ５７４が一体に形成される。また、デコプレート３２７の後端部には、上部フレーム３２５の垂直部分の上端部に連接する結合部５７２が垂直に形成され、この結合部５７２には、上部フレーム３２５のねじ締結孔５５２と対応するねじ締結孔５７３が形成される。
【００９１】
カバーパネル３２４は、コントロールパネル３２３と同様に、下部面内側端にフック５４１が形成され、このフック５４１と一定距離だけ離れた位置に下側ガイドリブ５４２が形成される。そして、カバーパネル３２４の上部面後端部には、デコプレート３２７の前方側ガイドリブ５７４が挿入される固定ホール５４３が貫通形成される。
【００９２】
キャビネット３２１の前方部上部には、カバーパネル３２４の下側ガイドリブ５４２が挿入される挿入ホール５１１が形成される。
【００９３】
カバーパネル３２４の両側面部には、ねじ３２９締結のための複数個の締結孔が形成され、デコプレート３２７の両側面部にも、ねじ締結孔と対応する位置に複数個のねじ締結孔が形成される。
【００９４】
デコプレート３２７とカバーパネル３２４は、上部フレーム３２５に次のような過程で組み立てられる。
【００９５】
まず、キャビネット３２１の前方部上端部に上部フレーム３２５が固定された状態で、作業者がデコプレート３２７のガイドリブ５７１を上部フレーム３２５の固定ホール５５１に挿入して前方に引くと、ガイドリブ５７１が固定ホール５５１に結合される。このとき、デコプレート３２７の結合部５７２が上部フレーム３２５の垂直部分上端部に接しながら上部フレーム３２５のねじ締結孔５５２とデコプレート３２７のねじ締結孔５７３が整列される。次いで、作業者は、上部フレーム３２５のねじ締結孔５５２とデコプレート３２７のねじ締結孔５７３を通してねじ５７５を締結することで、デコプレート３２７を上部フレーム３２５に固定させる。
【００９６】
その後、作業者は、カバーパネル３２４をデコプレート３２７の前方から接近させ、下部の下側ガイドリブ５４２をキャビネット３２１上部の挿入ホール５１１に挿入し、カバーパネル３２４の上端部の固定ホール５４３にデコプレート３２７の前方側ガイドリブ５７４を挿入することで、カバーパネル３２４がデコプレート３２７に仮組み立て状態で固定される。
【００９７】
その後、作業者は、カバーパネル３２４の両側面部の締結孔（図示せず）とデコプレート３２７の両側面部の締結孔（図示せず）を通してねじ３２９を締結することで、カバーパネル３２４をデコプレート３２７に安定的に固定させる。
【００９８】
カバーパネル３２４を分離しようとする場合は、上述した過程を逆順に行えばよい。
【図面の簡単な説明】
【００９９】
【図１】従来のドラム洗濯機を示す斜視図である。
【図２】本発明に係る乾燥機の好適な実施例を示す斜視図である。
【図３】図２に示した乾燥機において、操作部が本体に組み立てられる状態を示す分解斜視図である。
【図４】図２に示した乾燥機において、操作部が本体に取り付けられた状態を示す部分断面拡大図である。
【図５】図２に示した乾燥機において、カバーパネルが本体に組み立てられる状態を示す分解斜視図である。
【図６】本発明に係る複合洗濯装置の好適な実施例を示す斜視図である。
【図７】図６に示した複合洗濯装置において、乾燥機が洗濯機の上部に設置された状態を示す斜視図である。
【図８】本発明の他の実施例を示す図である。
【図９】本発明の他の実施例を示す図である。
【図１０】本発明の他の実施例を示す図である。
【図１１】本発明の他の実施例を示す図である。
【図１２】本発明の他の実施例を示す図である。
【図１３】本発明の他の実施例を示す図である。
【図１４】本発明の更に他の実施例を示す図である。
【図１５】本発明の更に他の実施例を示す図である。
【図１６】本発明の更に他の実施例を示す図である。
【図１７】本発明の更に他の実施例を示す図である。
【符号の説明】
【０１００】
１００    乾燥機本体
１１０    操作部
１２０    カバーパネル
【図１】
2008541791.tif 000003
【図２】
2008541791.tif 000004
【図３】
2008541791.tif 000005
【図４】
2008541791.tif 000006
【図５】
2008541791.tif 000007
【図６】
2008541791.tif 000008
【図７】
2008541791.tif 000009
【図８】
2008541791.tif 000010
【図９】
2008541791.tif 000011
【図１０】
2008541791.tif 000012
【図１１】
2008541791.tif 000013
【図１２】
2008541791.tif 000014
【図１３】
2008541791.tif 000015
【図１４】
2008541791.tif 000016
【図１５】
2008541791.tif 000017
【図１６】
2008541791.tif 000018
【図１７】
2008541791.tif 000019
【国際調査報告】
2008541791.tif 000020
2008541791.tif 000021